(57)【特許請求の範囲】
【請求項１】
第一の端末からメールアドレスの使用の終了の依頼を受信すると、該メールアドレスの使用終了の理由を入力するための画面情報を該第一の端末に送信し、
該画面情報を送信後に、該第一の端末から該メールアドレスの使用終了の理由を含む情報を受信すると、該メールアドレスおよび該メールアドレスの使用終了の理由を含む情報を関連付けてデータベースに格納し、
第二の端末から該メールアドレスの使用の開始の依頼を受信すると、該データベースに該メールアドレスが格納されているか否かに基づき、該メールアドレスが過去に使用されたか否か判定し、
過去に該メールアドレスが使用されていると判断された場合に、該メールアドレスに関連付けて記憶されている該メールアドレスの使用終了の理由を該第二の端末に出力し、
該メールアドレスの使用終了の理由を該第二の端末に出力した後、該メールアドレスを使用する旨の情報を該利用者端末から受信すると、該利用者による該メールアドレスの使用を登録する
処理をコンピュータに実行させることを特徴とする識別子変更プログラム。
【請求項２】
該メールアドレスが、過去に使用されたか否かを判定し、かつ、現在は使用されているか否かを判定し、
該メールアドレスが、過去に使用されており、現在は使用されていないと判断された場合に、該メールアドレスに関連付けて記憶されている該メールアドレスの使用終了の理由を該第二の端末に出力する、
処理をコンピュータに実行させることを特徴とする請求項１記載の識別子変更プログラム。
【請求項３】
現在のメールアドレスの変更依頼と、該現在のメールアドレスの変更する理由とを該利用者端末から受け付け、
現在のメールアドレスが変更された場合は、該現在のメールアドレスと該メールアドレスを変更する理由とを関連付けて該データベースに格納する
処理をコンピュータに実行させることを特徴とする請求項１記載の識別子変更プログラム。
【請求項４】
該メールアドレスの変更時の日時に基づき、変更後のメールアドレスについては変更時の日時を使用開始日時として記憶し、変更前のメールアドレスについては変更時の日時を使用終了日時として記憶する
処理をコンピュータに実行させることを特徴とする請求項１記載の識別子変更プログラム。
【請求項５】
メールアドレスの変更処理を行う識別子変更装置であって、
第一の端末からメールアドレスの使用の終了の依頼を受信すると、該メールアドレスの使用終了の理由を入力するための画面情報を該第一の端末に送信する送信手段と、
該画面情報を送信後に、該第一の端末から該メールアドレスの使用終了の理由を含む情報を受信すると、該メールアドレスおよび該メールアドレスの使用終了の理由を含む情報をデータベースに格納する格納手段と、
第二の端末から該メールアドレスの使用の開始の依頼を受信すると該データベースに格納された情報に基づき、該メールアドレスが過去に使用されたか否か判定する判定手段と、
過去に該メールアドレスが使用されていると判断された場合に、該メールアドレスに関連付けて記憶されている該メールアドレスの使用終了の理由を該第二の端末に出力する出力手段と、
該メールアドレスの使用終了の理由を該第二の端末に出力した後、該メールアドレスを使用する旨の情報を該利用者端末から受信すると、該利用者による該メールアドレスの使用を登録する登録手段と
を有することを特徴とする、識別子変更装置。
【発明の詳細な説明】
【技術分野】
【０００１】
本発明は、コンピュータ上で一意に定まる識別子の管理において、特に識別子情報を変更する場合の処理に関する。
【背景技術】
【０００２】
利用者識別情報、メールアドレス等の識別子は、コンピュータネットワーク上で対象を一意に定めるために広く用いられている。これらの識別子により、コンピュータネットワークにログインしたり、適切な相手に電子メールを送信でき、また、電子メールを適切に受信することが可能となる。
【０００３】
識別子を新規に登録する場合または変更する場合には、使用中の識別子は二重登録を避けるため登録できない。
【０００４】
例えば、メールアドレスの変更は、ホームページ等のＷＥＢシステムにおいて、現在登録されているメールアドレス群と、これから変更しようとするメールアドレスとを比較して、同じメールアドレスが存在する場合は登録することが出来ず、同じメールアドレスが存在しない場合は登録することが可能である。また、商用のメールアドレスは、過去に使用したアドレスは使用できない場合が多い。
【０００５】
また、携帯電話の分野においては、番号ポータビリティなる制度を導入し、携帯電話の加入者が別の事業者に契約を切り替えても、元の電話番号を切り替えることなくそのまま使えることが予測される。
【０００６】
また、メールアドレスを変更する場合に新規のメールアドレスと過去のメールアドレスと並存させるものもある（例えば特許文献１参照。）。
【特許文献１】特開２００２−１２４９７４
【発明の開示】
【発明が解決しようとする課題】
【０００７】
利用者にとっては、過去に第三者が使用した履歴がある識別子であっても、敢えて使用したいという場合や、過去に当該利用者が使用した識別子を再度使用したいという場合がある。過去の識別子を再利用できるとすると以下の問題がある。例えばメールアドレスの変更処理の場合、利用者が所望するメールアドレスに変更可能な場合はそのまま変更登録されてしまう。そのため、当該メールアドレスは過去に大量の迷惑メールを受信していた実績がある場合で、当該メールアドレスに変更した後で、大量の迷惑メールが送信される事になる等の問題がある。
【０００８】
また、携帯電話の分野においては、番号ポータビリティ制度を導入した場合であっても、電話番号は変更されないが、メールアドレスについては変更せざるを得ない状況が発生する可能性がある。
【課題を解決するための手段】
【０００９】
本発明は、第一の端末からメールアドレスの使用の終了の依頼を受信すると、メールアドレスの使用終了の理由を入力するための画面情報を第一の端末に送信し、画面情報を送信後に、第一の端末からメールアドレスの使用終了の理由を含む情報を受信すると、メールアドレスおよびメールアドレスの使用終了の理由を含む情報を関連付けてデータベースに格納し、第二の端末からメールアドレスの使用の開始の依頼を受信すると、データベースにメールアドレスが格納されているか否かに基づき、メールアドレスが過去に使用されたか否か判定し、過去にメールアドレスが使用されていると判断された場合に、メールアドレスに関連付けて記憶されているメールアドレスの使用終了の理由を第二の端末に出力し、メールアドレスの使用終了の理由を第二の端末に出力した後、メールアドレスを使用する旨の情報を利用者端末から受信すると、利用者によるメールアドレスの使用を登録する処理をコンピュータに実行させることを特徴とする。
【００１０】
また、メールアドレスが、過去に使用されたか否かを判定し、かつ、現在は使用されているか否かを判定し、メールアドレスが、過去に使用されており、現在は使用されていないと判断された場合に、メールアドレスに関連付けて記憶されているメールアドレスの使用終了の理由を第二の端末に出力する処理をコンピュータに実行させることを特徴とする。
【００１１】
更に、現在のメールアドレスの変更依頼と、現在のメールアドレスの変更する理由とを利用者端末から受け付け、現在のメールアドレスが変更された場合は、現在のメールアドレスとメールアドレスを変更する理由とを関連付けてデータベースに格納する処理をコンピュータに実行させることを特徴とする。
【００１２】
更に、メールアドレスの変更時の日時に基づき、変更後のメールアドレスについては変更時の日時を使用開始日時として記憶し、変更前のメールアドレスについては変更時の日時を使用終了日時として記憶する処理をコンピュータに実行させることを特徴とする。
【発明の効果】
【００１３】
本発明により、変更後となる識別子の過去の使用履歴状況が把握でき、識別子の変更を希望する利用者は、使用履歴状況に基づき変更の可否を判断することが可能となる。同時に、識別子を変更をする際に、少なくとも当該識別子が以前に登録されたことがあるか否かを判断することが出来る。これにより、当該識別子に対して第三者が誤認する可能性を判断することが可能となる。
【００１４】
また、現在第三者が不使用の識別子の場合のみ履歴情報を表示することが可能となる。
【００１５】
また、識別子を変更する場合に変更理由を登録することで、以降に当該識別子を取得する者に対して、当該識別子の使用可否の判断材料を供給することが可能となる。
【００１６】
また、識別子の使用期間も登録されるため、以降に当該識別子を取得する者に対して、当該識別子の使用可否の判断材料を供給することが可能となる。
【発明を実施するための最良の形態】
【００１７】
以下、本発明の実施の形態を図面を参照しながら説明する。
【００１８】
なお、本実施例では、識別子の一例であるメールアドレスについて記載する。
【実施例】
【００１９】
図１は、識別子変更履歴管理システム構成図を示したものである。
【００２０】
識別子変更履歴管理システムは、識別子変更履歴管理装置１０、識別子変更履歴データベース２０、利用者管理データベース３０、一時保存テーブル４０、端末５０及びネットワーク６０により構成される。
【００２１】
識別子変更履歴管理装置１０は、送受信手段１１、判定手段１２を有する。送受信手段１１は、ネットワーク６０に接続しており、端末５０からの情報を受信し、又は、端末５０に対して情報を送信する。判定手段１２は、識別子変更履歴データベース２０、利用者管理データベース３０、一時保存テーブル４０と接続している。
【００２２】
図２は、識別子変更履歴データベース２０を示したものである。識別子変更履歴データベース２０は、各識別子の使用履歴を記録したデータベースである。本実施例は識別子をメールアドレスとする。識別子変更履歴データベース２０は、メールアドレス２１、ＩＤ２２、使用開始日２３、使用終了日２４、変更理由２５から構成される。
【００２３】
メールアドレス２１は、メールアドレスであり、ユニークな識別情報である。このメールアドレス２１に対する使用履歴を対応付けて保存したデータベースである。したがって一つのメールアドレス２１に対して複数のＩＤ２２、使用開始日２３、使用終了日２４、変更理由２５が付加される。ＩＤ２２は、利用者の識別情報である。使用開始日２３は、ＩＤ２２の利用者がメールアドレス２１の使用をするための登録を行った日を示した情報である。使用終了日２４は、ＩＤ２２の利用者がメールアドレス２１の使用を終了あるいは変更するための登録を行った日を示した情報である。変更理由２５は、ＩＤ２２の利用者がメールアドレス２１の使用を終了あるいは変更する際に入力する変更理由である。将来当該メールアドレス２１を使用する利用者は、この変更理由２５を参考にして判断することができる。
【００２４】
図３は、利用者管理データベース３０を示したものである。利用者管理データベース３０は、識別子変更履歴管理システムの利用者の情報を管理するデータベースである。利用者管理データベース３０は、メールアドレス３１、ＩＤ３２、パスワード３３、利用者個人情報３４から構成される。
【００２５】
メールアドレス３１は、識別子変更履歴データベース２０のメールアドレス２１と同じものである。ＩＤ３２は、識別子変更履歴データベース２０のＩＤ２２と同じものである。パスワード３３はＩＤ３２と組になる情報であり、識別子変更履歴管理システムにログインする際に使用する情報である。利用者個人情報３４は、ＩＤ３２に対応する利用者の個人情報を登録したものであり、例えば、住所、氏名、連絡先等の一般的な利用者の個人情報が記憶される。
【００２６】
図４は、一時保存テーブル４０を示したものである。
【００２７】
一時保存テーブル４０は、変更してから一定期間のメールアドレスについて一時保存しておくテーブルである。変更直後から第三者の使用が可能となるとすると、本来前の利用者に対して送るつもりであったメールを、新規に当該メールアドレスの使用を登録した第三者に送信してしまうこととなるため情報漏洩が発生する可能性がある。また、利用者が誤ってメールアドレスの使用の終了あるいは変更を登録してしまった場合であって、当該利用者が当該メールアドレスの使用を再登録する前に、第三者が当該メールアドレスを取得してしまった場合には、当該利用者は当該メールアドレスを利用できなくなる不都合が生じる。
【００２８】
そこで、メールアドレスの使用終了を登録してから一定期間は一時保存テーブル４０に格納しておき、一時保存テーブル４０に格納されているメールアドレスについては、第三者の登録を不可能とする一方、変更した利用者本人の場合は再登録を可能とする。
【００２９】
メールアドレス４１は、識別子変更履歴データベース２０のメールアドレス２１、利用者管理データベース３０のメールアドレス３１と同じものである。ＩＤ４２は、識別子変更履歴データベース２０のＩＤ２２、利用者管理データベース３０のＩＤ３２と同じものである。使用終了日４３は、識別子変更履歴データベース２０の使用終了日２４と同じものである。
【００３０】
端末５０は、パーソナルコンピュータ、携帯電話等でありネットワーク６０に接続可能な機能を有する装置端末である。識別子変更履歴管理装置１０からの情報を受信する機能、受信した情報を端末に表示する機能、利用者が入力した情報を識別子変更履歴管理装置１０に送信する機能を有する。
【００３１】
ネットワーク６０は、インターネット、ＬＡＮ（Ｌｏｃａｌ  Ａｒｅａ  Ｎｅｔｗｏｒｋ）等である。ネットワーク６０を介して識別子変更履歴管理装置１０と端末５０とは情報の送受信を行う。
【００３２】
以下図５、図６の識別子変更処理のフローチャートを用いて、識別子の変更についての一連の処理を説明する。
【００３３】
図５は、利用者が端末５０からネットワーク６０を介して識別子変更履歴管理装置１０にログインしてからメールアドレスの切替の画面表示を行うまでの処理について示したものである。
【００３４】
利用者は、端末５０によりネットワーク６０を介して識別子変更履歴管理装置１０にアクセスすると、識別子変更履歴管理装置１０はログイン画面情報を端末５０に送信する。
【００３５】
図７に、端末５０に表示されたメールアドレス変更システムのログイン画面例を示す。画面にはＩＤ３２の入力項目、パスワード３３の入力項目がある。
【００３６】
利用者は、端末５０にＩＤ３２、パスワード３３を入力し識別子変更履歴管理装置１０にネットワーク６０経由で送信する。識別子変更履歴管理装置１０の送受信手段１１は、当該ＩＤ３２とパスワード３３とを受信する（Ｓ５０１）。
【００３７】
判定手段１２は、識別子変更履歴管理システムへのログイン可否を判定する（Ｓ５０２）。具体的には、Ｓ５０１で受信したＩＤ３２、パスワード３３について、利用者管理データベース３０に有する登録情報と照合を行う。
【００３８】
判定手段１２が、ログイン不可と判断した場合（Ｓ５０３：ｎｏ）、ログイン不可の旨の回答を当該端末５０に対して送信する。一方、判定手段１２が、ログイン可と判断した場合（Ｓ５０３：ｙｅｓ）、端末５０に対して変更メールアドレス入力画面を送信する（Ｓ５０５）。
【００３９】
変更メールアドレスとは、利用者が現在のメールアドレスから変更したいメールアドレス、あるいは、利用者が新規に利用を開始するメールアドレスをいう。
【００４０】
図８に変更メールアドレス入力画面例を示す。画面には変更メールアドレスの入力項目がある。
【００４１】
利用者は、所望の変更メールアドレスを入力し、識別子変更履歴管理装置１０に送信する。識別子変更履歴管理装置１０の送受信手段１１は、変更メールアドレスを受信する（Ｓ５０６）。
【００４２】
判定手段１２は、変更メールアドレスが利用者データベース３０に存在するか否かを判定する（Ｓ５０７）。
【００４３】
利用者管理データベース３０に存在する場合（Ｓ５０８）は、現時点で、他人の利用者が存在するので変更不可能であり、他の利用者が存在する旨の回答を利用者に対して送信する（Ｓ５０９）。
【００４４】
図９に変更不可の画面例を示す。ここでは、Ｓ５０５で受信した変更メールアドレスが表示される。
【００４５】
この場合であって、本フローチャートでは一旦終了しているが、利用者は、他の変更メールアドレスの候補がある場合は、Ｓ５０５以降の処理を再度行う処理としてもよい。
【００４６】
一方、利用者管理データベース３０に存在しない場合（Ｓ５０８）は、変更メールアドレスが一時保存テーブル４０に存在するか否かを判定する（Ｓ５１０）。
【００４７】
一時保存テーブル４０に存在する場合（Ｓ５１１：ｙｅｓ）は、直前の利用者が当該利用者と同一人であるのか否かを判定する。つまり、直前にメールアドレス４１を使用していたＩＤ４２と現在ログイン中のＩＤ３２とが合致するか否かを判定する（Ｓ５１７）。
【００４８】
両ＩＤが合致する場合（Ｓ５１８：ｙｅｓ）は、同一人がメールアドレスの再使用を希望していると判断できるため、Ｓ５１２以降の処理を行う。一方、両ＩＤが合致しない場合（Ｓ５１８：ｎｏ）は、現時点での利用者はいないが、一定の期間は第三者の使用を禁止すべく変更不可と判断し、他の利用者がいる旨の回答を送信する（Ｓ５０９）。
【００４９】
図９に変更不可の画面例を示す。ここでは、Ｓ５０５で受信した変更メールアドレスが表示される。
【００５０】
この場合であって、本フローチャートでは一旦終了しているが、利用者は、他の変更メールアドレスの候補がある場合は、Ｓ５０５以降の処理を再度行う処理としてもよい。
【００５１】
変更メールアドレスが一時保存テーブル４０に存在しない場合（Ｓ５１１：ｎｏ）、変更メールアドレスが識別子変更履歴データベース２０に存在するか否かを判定する（Ｓ５１２）。
【００５２】
変更メールアドレスが識別子変更履歴データベース２０に存在する場合（Ｓ５１３：ｙｅｓ）、変更履歴情報画面情報を端末５０に送信する（Ｓ５１４）。
【００５３】
図１０に  識別子の変更履歴情報画面例を示す。画面内には、変更メールアドレスと当該メールアドレスについての変更履歴が表示されている。この履歴の内容は、識別子変更履歴データベース２０のメールアドレス２１のレコードに対応する使用開始日２３、使用終了日２４、変更理由２５である。
【００５４】
また、変更された履歴に応じて変更ポイントも表示される。変更ポイントは、変更理由の種類に応じて付与される。例えば、以前に使用していた利用者が、当該メールアドレスの使用を終了した理由が「迷惑メール」の場合には１０点、単なる「アドレス変更」の場合には２点、携帯電話の番号ポータビリティに関連した「キャリア変更」の場合には１点等である。
【００５５】
利用者は変更履歴情報画面を受信し、当該変更履歴情報の変更ポイントや履歴を確認した上で切替の可否について判断し、切替を希望する場合は、切替希望情報を送信する。識別子変更履歴管理装置１０は切替希望情報を受信する（Ｓ５１５）まで待ち（Ｓ５１６：ｎｏ）、切替希望情報を受信した場合（Ｓ５１６：ｙｅｓ）は、Ｓ６０１以降の処理を行う。
【００５６】
図６は、Ｓ６０１以降の処理を示したものである。すなわち、切替希望情報を利用者から受信してから、実際に切替処理が完了するまでのフローチャートである。
【００５７】
識別子変更履歴管理装置１０は、メールアドレスの切替の確認のための画面であるメール切替画面を送信する（Ｓ６０１）。
【００５８】
図１１は、メール切替画面例を示したものである。同図では、変更前のメールアドレスと変更後のメールアドレスとが表示される。
【００５９】
利用者はメールアドレスを変更すると判断した場合には、変更のボタンを押下することでメールアドレスの切替確認情報であるメール切替確認情報を送信する。識別子変更履歴管理装置１０はメール切替確認情報を受信する（Ｓ６０２）まで待ち（Ｓ６０３：ｎｏ）、メール切替確認情報を受信した場合（Ｓ６０３：ｙｅｓ）は、変更メールアドレスを利用者のメールアドレスとして登録するための処理を行う。
【００６０】
まず、変更前アドレスの変更理由入力画面情報を端末５０に送信する（Ｓ６０４）。
【００６１】
図１２は、変更理由入力画面例である。利用者は、同図での変更理由を選択する、あるいは変更理由を自由入力することで、変更理由を入力する。
【００６２】
端末５０では、利用者は変更理由入力画面に基づき変更理由を入力し、識別子変更履歴管理装置１０に送信する。識別子変更履歴管理装置１０は変更理由情報を受信する（Ｓ６０５）まで待つ（Ｓ６０６：ｎｏ）。
【００６３】
変更理由情報を受信した場合は（Ｓ６０６：ｙｅｓ）、  当該利用者のＩＤ３２と合致する利用者管理データベース３０のメールアドレス３１と合致する識別子変更履歴データベース２０のメールアドレス２１のデータレコードの内、当該ＩＤ３２と合致するＩＤ２２について使用終了日２４、変更理由情報２５を登録する（Ｓ６０７）。
【００６４】
次に、変更メールアドレスと識別子変更履歴データベース２０のメールアドレス２１とが合致するデータレコードが識別子変更履歴データベース２０に存在するか否かの判定を行う（Ｓ６０８）。
【００６５】
当該データレコードが存在する場合（Ｓ６０９：ｙｅｓ）は、当該データレコードに対して、追加登録の処理を行うため、Ｓ６１１の処理を行う。一方、当該データレコードが存在しない場合（Ｓ６０９：ｎｏ）は、識別子変更履歴データベース２０に変更メールアドレスについての新規データレコードの作成を行う（Ｓ６１０）。
【００６６】
次に、当該データレコードに対してＩＤ２２、変更メールアドレスの使用開始日２３の登録を行う（Ｓ６１１）。
【００６７】
次に、利用者管理データベース３０のメールアドレス切替処理を行う（Ｓ６１２）。すなわち、利用者のＩＤ３２に対応するデータレコードに係るメールアドレス３１のデータを、変更前のメールアドレスから変更メールアドレスに変更して登録する。
【００６８】
一時保存テーブル４０に変更前のメールアドレスをメールアドレス４１に、ＩＤ２２をＩＤ４２に、使用終了日２４を使用終了日４３に、それぞれ登録をする（Ｓ６１２）。
【００６９】
なお、一時保存テーブル４０に対しては、例えば、以下の処理を行うことによりデータの整理が可能である。
【００７０】
予めメールアドレスの変更登録をしてから当該メールアドレスの第三者への登録を禁止する期間を定めておく。この期間は一時保存テーブル４０にデータレコードが格納される期間と一致する。
【００７１】
まず日ごとに一回、期間経過確認処理を行う。
【００７２】
一時保存テーブル４０に格納されている全レコードの使用終了日４３と期間経過確認処理の実施日と一時保存テーブル４０格納期間とから当該データレコードを削除すべきか否かを判定し、保存期間を経過したデータレコードについてはデータ削除を行う。
【００７３】
図１３は、上記の識別子変更履歴管理装置１０のハードウェア構成の一例を示す図である。
【００７４】
同図に示す識別子変更履歴管理装置１０はコンピュータであり、ＣＰＵ７１、メモリ７２、入力装置７３、出力装置７４、外部記憶装置７５、媒体駆動装置７６、ネットワーク接続装置７７等を有し、これらがバス７８に接続された構成となっている。尚、同図に示した構成は一例であり、これに限るものではない。
【００７５】
ＣＰＵ７１は、当該コンピュータ１０全体を制御する中央処理装置である。
【００７６】
メモリ７２は、プログラム実行、データ更新等の際に、外部記憶装置７５（或いは可搬記録媒体７９）に記憶されているプログラムやデータを一時的に格納するＲＡＭ等のメモリである。ＣＰＵ７１は、メモリ７２に読み出したプログラムやデータを用いて、上述の図５及び図６等を用いて説明した識別子の変更に係る処理を含む各種処理を実行する。
【００７７】
入力装置７３は、例えばキーボード、マウス、タッチパネル等である。
【００７８】
出力装置７４は、例えばディスプレイ（表示装置）等である。
【００７９】
外部記憶装置７５は、例えばハードディスク装置等であり、プログラム（上述の識別子の履歴管理に係る処理をコンピュータ１０に実行させるプログラムを含む）やデータ（上述の識別子変更履歴データベース２０、利用者管理データベース３０、一時保存テーブル４０の各データを含む）が格納される。また、当該プログラムやデータは、記録媒体７９に記憶され、媒体駆動装置７６が、記録媒体７９に記憶されているプログラムやデータを読み出して、例えば上述の識別子の履歴管理に係る処理をコンピュータ１０に実行させるようにしてもよい。記録媒体７９は、例えば、ＦＤ（フレキシブルディスク）、ＣＤ−ＲＯＭ、その他、ＤＶＤ、光磁気ディスク等である。
【００８０】
ネットワーク接続装置７７は、ネットワーク（インターネット等）に接続して、外部の情報処理装置とプログラムやデータの送受信を可能にする構成である。
【００８１】
以上、本発明について詳細に説明したが、本発明は上記実施形態に限定されず、本発明の要旨を逸脱しない範囲において、各種の改良及び変更を行っても良いのはもちろんである。
【００８２】
特に、図５のＳ５０９の場合に、変更メールアドレスを利用している先の利用者が当該メールアドレス３１の使用を中止した場合に、変更を希望する利用者が優先して登録を受けられるようにすることも可能である。この場合には識別子変更履歴データベース２０に優先ＩＤ情報の項目を付加することで、メールアドレス２１の使用終了となった場合、あるいは一時保存テーブル４０から削除された場合に優先して変更の登録を受けられるようにしてもよい。
【００８３】
更には、変更メールアドレスを利用している先の利用者に対して、当該メールアドレスを第三者が使用したい旨の情報を送信することも可能である。このような場合には、変更メールアドレスを利用している先の利用者が当該メールアドレスを譲って良いと判断した場合には、当該メールアドレスを利用したい利用者は優先して当該メールアドレスを取得することが可能となる。
【００８４】
更には、メールの送受信量等を管理するデータベースがある場合は利用状況に基づき変更を促すことも可能である。例えばメール送受信の数が少ない場合は、メールアドレス３１を譲渡した場合であっても、誤送信が発生しないと判断出来る。
【００８５】
また、Ｓ５１８を経由してＳ５０９に到達する場合において、利用者一時保存テーブル４０に存在する場合には、一定期間後に使用可能になる旨を端末５０に送信するようにしてもよい。
【００８６】
さらには、一時保存テーブル４０に優先ＩＤ情報の項目を付加することで変更メールアドレスであるメールアドレスが一時保存テーブル４０から削除された時点で、変更メールアドレスの使用を希望する利用者に対して当該メールアドレスが変更可能となった旨の情報を送る機能を付加することも可能である。
（付記１）
識別子の変更処理を行う識別子変更プログラムであって、
コンピュータを、
識別子を受け付ける受付手段、
前記識別子が、過去に使用されたか否か判定する判断手段、
前記判断手段により過去に前記識別子が使用されていると判断された場合に、予め前記識別子に関連付けて記憶した使用履歴について表示する表示手段、
として機能させるための識別子変更プログラム。
（付記２）
前記判断手段は更に、前記識別子が、過去に使用されたか否かを判定し、かつ、現在は使用されているか否かを判定し、
前記表示手段は更に、前記判断手段により、前記識別子が、過去に使用されており、現在は使用されていないと判断された場合に、前記識別子の使用履歴を表示する、
ことを特徴とする、付記１記載の識別子変更プログラム。
（付記３）
コンピュータを、更に、
現在の識別子の変更依頼と、該現在の識別子の変更する理由とを受け付ける第二の受付手段、
現在の識別子の変更する際に、該現在の識別子と前記識別子を変更する理由とを関連付けて記憶する記憶手段、
として機能させること特徴とする、付記１記載の識別子変更プログラム。
（付記４）
コンピュータを、更に、
前記識別子の変更時の日時に基づき、変更後の識別子については変更時の日時を使用開始日時として記憶し、変更前の識別子については変更時の日時を使用終了日時として記憶する第二の記憶手段、
として機能させること特徴とする、付記１記載の識別子変更プログラム。
（付記５）
識別子の変更処理を行う識別子変更装置であって、
識別子と該識別子の使用履歴とを関連づけて記憶する記憶手段、
識別子を受け付ける受付手段、
前記識別子が、過去に使用されたか否かを判定する判断手段、
前記判断手段により過去に前記識別子が使用されていると判断された場合に、前記識別子の使用履歴を表示する表示手段、とを有することを特徴とする、識別子変更装置。
（付記６）
前記判断手段は更に、前記識別子が、過去に使用されたか否かを判定し、かつ、現在は使用されているか否かを判定し、
前記表示手段は更に、前記判断手段により、前記識別子が、過去に使用されており、現在は使用されていないと判断された場合に、前記識別子の使用履歴を表示する、
ことを特徴とする、付記５記載の識別子変更装置。
（付記７）
更に、
現在の識別子の変更依頼と、該現在の識別子の変更する理由とを受け付ける第二の受付手段、
現在の識別子が変更された場合は、該現在の識別子と前記識別子を変更する理由とを関連付けて記憶する記憶手段、
として機能させることを特徴とする、付記５記載の識別子変更装置。
（付記８）
更に、
前記識別子の変更時の日時に基づき、変更後の識別子については変更時の日時を使用開始日時として記憶し、変更前の識別子については変更時の日時を使用終了日時として記憶する第二の記憶手段、
として機能させることを特徴とする、付記５記載の識別子変更装置。
【図面の簡単な説明】
【００８７】
【図１】識別子変更履歴管理システム構成図
【図２】識別子変更履歴データベース２０のデータ構成
【図３】利用者管理データベース３０のデータ構成
【図４】一時保存テーブル４０のデータ構成
【図５】識別子変更処理のフローチャート（１）
【図６】識別子変更処理のフローチャート（２）
【図７】ログイン画面例
【図８】変更識別子入力画面例
【図９】変更不可画面例
【図１０】識別子の変更履歴情報画面例
【図１１】変更確認画面例
【図１２】変更理由入力画面例
【図１３】ハードウェア構成図
【符号の説明】
【００８８】
１０  識別子変更履歴管理装置
２０  識別子変更履歴データベース
３０  利用者管理データベース
４０  一時保存テーブル
５０  利用者端末
６０  ネットワーク
７１  ＣＰＵ
７２  メモリ
７３  入力装置
７４  出力装置
７５  外部記憶装置
７６  媒体駆動装置
７７  ネットワーク接続装置
７８  バス
７９  記憶媒体
【図１】
0004770442.tif 000002
【図２】
0004770442.tif 000003
【図３】
0004770442.tif 000004
【図４】
0004770442.tif 000005
【図５】
0004770442.tif 000006
【図６】
0004770442.tif 000007
【図７】
0004770442.tif 000008
【図８】
0004770442.tif 000009
【図９】
0004770442.tif 000010
【図１０】
0004770442.tif 000011
【図１１】
0004770442.tif 000012
【図１２】
0004770442.tif 000013
【図１３】
0004770442.tif 000014